(57)【要約】【課題】  ネットワークを利用して印刷用のデータを出力するプリンタが自分の出力したいプリントアウトフォーマットに対応していない場合には使用することができない。【解決手段】  プリントアウトしたいコンテンツ情報と、コンテンツ情報のプリントアウト実行場所を識別するための実行場所識別子と、を含む情報であるプリントアウト情報を取得するプリントアウト情報取得部と、プリントアウト情報取得部で取得したプリントアウト情報を所定のプリントアウトのためのフォーマットであるプリントアウトフォーマット情報に変換する変換部と、変換部で変換されたプリントアウトフォーマット情報を、プリントアウト情報に含まれる実行場所識別子で識別されるプリントアウト実行場所に送信する送信部と、を有するコンビニエンス・プリントアウトサーバ装置に関する。【選択図】  図１
2005141421.tif 000002
【特許請求の範囲】
【請求項１】
プリントアウトしたいコンテンツ情報と、コンテンツ情報のプリントアウト実行場所を識別するための実行場所識別子と、を含む情報であるプリントアウト情報を取得するプリントアウト情報取得部と、
前記プリントアウト情報取得部で取得したプリントアウト情報を所定のプリントアウトのためのフォーマットであるプリントアウトフォーマット情報に変換する変換部と、
前記変換部で変換されたプリントアウトフォーマット情報を、前記プリントアウト情報に含まれる実行場所識別子で識別されるプリントアウト実行場所に送信する送信部と、
を有するコンビニエンス・プリントアウトサーバ装置。
【請求項２】
前記プリントアウトフォーマット情報は、インターネット上で取得可能な無償ビューアを利用してプリントアウト可能なフォーマットである無償プリントアウトフォーマット情報である請求項１に記載のコンビニエンス・プリントアウトサーバ装置。
【請求項３】
プリントアウト情報を取得する端末プリントアウト情報取得部と、
前記プリントアウト情報取得部で取得したプリントアウト情報をコンビニエンス・プリントアウトサーバ装置に送信する端末送信部と、
を有するプリントアウト情報送信端末装置。
【請求項４】
無償プリントアウトフォーマット情報を取得する無償プリントアウトフォーマット情報取得部と、
前記無償プリントアウトフォーマット情報取得部で取得した無償プリントアウトフォーマット情報を無償ビューアを利用してプリントアウトする印刷部と、
を有するコンビニエンスプリント端末。
【請求項５】
前記プリントアウト情報には、前記プリントアウト実行場所でプリントアウトされたコンテンツ情報を引取る時刻を示す情報である引取時刻情報が含まれ、
前記送信部は、前記プリントアウトフォーマット情報と関連付けて前記プリントアウト実行場所へ、前記引取時刻情報を送信する
請求項１、２に記載のコンビニエンス・プリントアウトサーバ装置。
【請求項６】
前記コンビニエンスプリントアウト端末装置は、
請求項５に記載のコンビニエンス・プリントアウトサーバ装置から送信された引取時刻情報を受信する引取時刻情報受信部と、
前記引取り時刻情報受信部が受信した引取時刻情報に基づいて前記印刷部での印刷をスケジュールするスケジュール部と、
をさらに有する請求項４に記載のコンビニエンスプリント端末。
【請求項７】
プリントアウトしたいコンテンツ情報と、コンテンツ情報のプリントアウト実行場所を識別するための実行場所識別子と、を含む情報であるプリントアウト情報を取得するプリントアウト情報取得ステップと、
前記プリントアウト情報取得ステップで取得したプリントアウト情報を所定のプリントアウトのためのフォーマットであるプリントアウトフォーマット情報に変換する変換ステップと、
前記変換ステップで変換されたプリントアウトフォーマット情報を、前記プリントアウト情報に含まれる実行場所識別子で識別されるプリントアウト実行場所に送信する送信ステップと、
からなる工程を有するコンビニエンス・プリントアウトサーバ動作方法。
【請求項８】
前記プリントアウトフォーマット情報は、インターネット上で取得可能な無償ビューアを利用してプリントアウト可能なフォーマットである無償プリントアウトフォーマット情報である請求項７に記載のコンビニエンス・プリントアウトサーバ動作方法。
【請求項９】
プリントアウト情報を取得する端末プリントアウト情報取得ステップと、
前記プリントアウト情報取得ステップで取得したプリントアウト情報をコンビニエンス・プリントアウトサーバ装置に送信する端末送信ステップと、
からなる工程を有するプリントアウト情報送信端末動作方法。
【請求項１０】
無償プリントアウトフォーマット情報を取得する無償プリントアウトフォーマット情報取得ステップと、
前記無償プリントアウトフォーマット情報取得ステップで取得した無償プリントアウトフォーマット情報を無償ビューアを利用してプリントアウトする印刷ステップと、
からなる工程を有するコンビニエンスプリント端末動作方法。
【請求項１１】
前記プリントアウト情報には、前記プリントアウト実行場所でプリントアウトされたコンテンツ情報を引取る時刻を示す情報である引取時刻情報が含まれ、
前記送信ステップは、前記プリントアウトフォーマット情報と関連付けて前記プリントアウト実行場所へ、前記引取時刻情報を送信する
請求項７、８に記載のコンビニエンス・プリントアウトサーバ動作方法。
【請求項１２】
前記コンビニエンスプリントアウト端末動作方法は、
請求項１１に記載のコンビニエンス・プリントアウトサーバ動作方法から送信された引取時刻情報を受信する引取時刻情報受信ステップと、
前記引取時刻情報受信ステップが受信した引取時刻情報に基づいて前記印刷ステップでの印刷をスケジュールするスケジュールステップと、
からなる工程をさらに有する請求項１０に記載のコンビニエンスプリント端末動作方法。
【発明の詳細な説明】
【技術分野】
【０００１】
本件発明は、コンビニエンスストアネットワークなどを活用したプリントサービスに関する。
【背景技術】
【０００２】
従来、出張先や外出先で会議や打ち合わせをしたり、顧客にプレゼンテーションをしたりするための資料などを手持ちで持っていくか、あらかじめ宅配便などの業者に依頼して送付しておく必要があり、手間とコストがかかっていた。そこで、それら印刷用のデータを、一般企業やコンビニエンスストアなどで設置稼動しているネットワークプリンタを用いて印刷することで、外出先から必要な印刷物を入手する方法が提案されている。
【特許文献１】特開２００３−６７１６４
【発明の開示】
【発明が解決しようとする課題】
【０００３】
しかしながら、上記のような方法は、出力するプリンタが自分の出力したいプリントアウトフォーマットに対応していない場合には使用することができない。また、あえて複数の種類のプリントアウトフォーマットに対応しようとすると、プリンタ設置者に対して手間とコストに対する過大な負担がかかってしまう。
【課題を解決するための手段】
【０００４】
本件発明は、上記課題に鑑みてなされたものである。
【０００５】
第一の発明は、プリントアウトしたいコンテンツ情報と、コンテンツ情報のプリントアウト実行場所を識別するための実行場所識別子と、を含む情報であるプリントアウト情報を取得するプリントアウト情報取得部と、前記プリントアウト情報取得部で取得したプリントアウト情報を所定のプリントアウトのためのフォーマットであるプリントアウトフォーマット情報に変換する変換部と、前記変換部で変換されたプリントアウトフォーマット情報を、前記プリントアウト情報に含まれる実行場所識別子で識別されるプリントアウト実行場所に送信する送信部と、を有するコンビニエンス・プリントアウトサーバ装置に関する。
【０００６】
第二に発明は、前記プリントアウトフォーマット情報は、インターネット上で取得可能な無償ビューアを利用してプリントアウト可能なフォーマットである無償プリントアウトフォーマット情報である第一の発明に記載のコンビニエンス・プリントアウトサーバ装置に関する。
【０００７】
第三の発明は、プリントアウト情報を取得する端末プリントアウト情報取得部と、前記プリントアウト情報取得部で取得したプリントアウト情報をコンビニエンス・プリントアウトサーバ装置に送信する端末送信部と、を有するプリントアウト情報送信端末装置に関する。
【０００８】
第四の発明は、無償プリントアウトフォーマット情報を取得する無償プリントアウトフォーマット情報取得部と、前記無償プリントアウトフォーマット情報取得部で取得した無償プリントアウトフォーマット情報を無償ビューアを利用してプリントアウトする印刷部と、を有するコンビニエンスプリント端末に関する。
【０００９】
第五の発明は、前記プリントアウト情報には、前記プリントアウト実行場所でプリントアウトされたコンテンツ情報を引取る時刻を示す情報である引取時刻情報が含まれ、前記送信部は、前記プリントアウトフォーマット情報と関連付けて前記プリントアウト実行場所へ、前記引取時刻情報を送信する第一の発明、第二の発明に記載のコンビニエンス・プリントアウトサーバ装置に関する。
【００１０】
第六の発明は、前記コンビニエンスプリントアウト端末装置は、第五の発明に記載のコンビニエンス・プリントアウトサーバ装置から送信された引取時刻情報を受信する引取時刻情報受信部と、前記引取り時刻情報受信部が受信した引取時刻情報に基づいて前記印刷部での印刷をスケジュールするスケジュール部と、をさらに有する第四の発明に記載のコンビニエンスプリント端末に関する。
【発明の効果】
【００１１】
本件発明のプリントアウトサービスによれば、コンビニエンス・プリントアウトサーバ装置にのみプリントアウトフォーマットを統一するための変換ソフトを設置すればよいので非常に経済的である。また、コンビニエンスストアなどのプリンタ設置側は、統一されたプリントアウトフォーマットを印刷するためのビューアソフトを設置すればよいだけなので、手間とコストが削減できる。また、ビューアソフトを無償のフリーソフトなどを使用することにより、さらにコスト削減を図ることができる。
【発明を実施するための最良の形態】
【００１２】
以下に本件発明の実施形態を説明する。実施形態と、請求項との関係はおおむね次のようなものである。
【００１３】
実施形態１は、主に、請求項１、請求項７などについて説明している。
【００１４】
実施形態２は、主に、請求項２、請求項８などについて説明している。
【００１５】
実施形態３は、主に、請求項３、請求項９などについて説明している。
【００１６】
実施形態４は、主に、請求項４、請求項１０などについて説明している。
【００１７】
実施形態５は、主に、請求項５、請求項１１などについて説明している。
【００１８】
実施形態６は、主に、請求項６、請求項１２などについて説明している。
【００１９】
図１に示すのは、本件発明のコンビニエンス・プリントサービス０１００のシステム構成を示す図の一例であり、コンビニエンス・プリントアウトサーバ装置０１０１と、プリントアウト情報送信端末装置０１０２と、コンビニエンスプリント端末０１０３と、からなる。
【００２０】
<<実施形態１>>
【００２１】
<実施形態１の概念>
【００２２】
実施形態１の発明は、プリントアウトしたいコンテンツ情報と、コンテンツ情報のプリントアウト実行場所を識別するための実行場所識別子と、を含む情報であるプリントアウト情報を取得するプリントアウト情報取得部と、プリントアウト情報取得部で取得したプリントアウト情報を所定のプリントアウトのためのフォーマットであるプリントアウトフォーマット情報に変換する変換部と、変換部で変換されたプリントアウトフォーマット情報を、前記プリントアウト情報に含まれる実行場所識別子で識別されるプリントアウト実行場所に送信する送信部と、を有するコンビニエンス・プリントアウトサーバ装置に関する。
【００２３】
図１に基づいて、以下に本件発明の概念を説明する。プリントアウト情報送信端末装置は、コンビニエンス・プリントアウトサーバ装置に対して、プリントアウト情報を送信する。コンビニエンス・プリントアウトサーバ装置は、受信したプリントアウト情報の中のコンテンツ情報を所定のプリントアウトフォーマット情報に変換して、実行場所識別子で識別されるプリントアウト実行場所に送信する。送信されたプリントアウトフォーマット情報は、コンビニエンスプリント端末に出力される。
【００２４】
<構成要件の明示>
【００２５】
以下に、実施形態１の構成要件を明示する。
【００２６】
図２に示すのは、実施形態１のコンビニエンス・プリントアウトサーバ装置０２００の機能ブロック図である。コンビニエンス・プリントアウトサーバ装置は、プリントアウト情報取得部０２０１と、変換部０２０２と、送信部０２０３と、からなる。
【００２７】
<構成の説明>
【００２８】
以下に、実施形態１のコンビニエンス・プリントアウトサーバ装置の構成要件について説明する。
【００２９】
<基本機能ブロック図の導入>
【００３０】
（プリントアウト情報取得部）
【００３１】
プリントアウト情報取得部は、プリントアウトしたいコンテンツ情報と、コンテンツ情報のプリントアウト実行場所を識別するための実行場所識別子と、を含む情報であるプリントアウト情報を取得する。「プリントアウト情報」は、コンテンツ情報と実行場所識別子と、を有する。ここで「コンテンツ情報」は、コンテンツ情報の作成を行ったアプリケーションソフト特有のフォーマットになっている。コンテンツ情報には、ワープロで作成された文書、図面作成ソフトで作成された図面、プレゼンテーション用ソフトで作成されたプレゼンテーション資料、表計算ソフトで作成された資料、画像処理ソフトで作成された画像などが該当する。一例として、ワープロソフトには、Ｍｉｃｒｏｓｏｆｔ（登録商標）  Ｗｏｒｄ、一太郎、（登録商標）、ＯＡＳＹＳ（登録商標）などが該当する。図面作成ソフトには、ＶＩＳＩＯ（登録商標）、花子（登録商標）などが該当する。プレゼンテーション用ソフトには、ＰｏｗｅｒＰｏｉｎｔ（登録商標）などが該当する。表計算ソフトには、Ｍｉｃｒｏｓｏｆｔ（登録商標）  Ｅｘｃｅｌ、Ｌｏｔｕｓ１−２−３（登録商標）などが該当する。画像処理ソフトには、ＰａｉｎｔＳｈｏｐＰｒｏ（登録商標）などが該当する。
【００３２】
また、「実行場所識別子」とは、一例として、どの系列のコンビニエンスストアの、どの地域の、どの店舗のプリンタサーバあるいはプリンタでプリントアウトするのかといったプリントアウト実行場所を識別するための識別子である。実行場所識別子は、一例として、コンビニエンスストアサーバコード（ＣＳＳ００１）やコンビニ店舗コード（ＣＳ０００００１）やプリンタサーバコード（ＰＳ００１）やパソコンコード（ＰＣ００１）やプリンタコード（ＰＲ００１）などで構成される。実行場所識別コードの一例として、「ＣＳＳ００１−ＣＳ０００００１−ＰＳ００１−ＰＲ００１」などが該当する。
【００３３】
（変換部）
【００３４】
変換部は、プリントアウト情報取得部で取得したプリントアウト情報を所定のプリントアウトのためのフォーマットであるプリントアウトフォーマット情報に変換する。ここで「所定のプリントアウトのためのフォーマット」とは、一例として、コンビニ店舗にあるプリンタサーバで利用可能なフォーマットのことをいう。また、「プリントアウトフォーマット情報」は、必ずしも唯一のフォーマットである必要はなく、複数あってもよい。
【００３５】
ここで「プリントアウト情報」の「プリントアウトフォーマット情報」への変換は、ワープロで作成された文書、図面作成ソフトで作成された図面、プレゼンテーション用ソフトで作成されたプレゼンテーション資料、表計算ソフトで作成された資料、画像処理ソフトで作成された画像などの「コンテンツ情報」に対してのみ実行され、「実行場所識別子」に対して変換は実行されない場合もある。ただし、実行場所識別子は、実行場所識別コードからＵＲＬ（Ｕｎｉｆｏｒｍ  Ｒｅｓｏｕｒｃｅ  Ｌｏｃａｔｏｒ）へ変換されるような場合もある。
【００３６】
（送信部）
【００３７】
送信部は、変換部で変換されたプリントアウトフォーマット情報を、プリントアウト情報に含まれる実行場所識別子で識別されるプリントアウト実行場所に送信する。
【００３８】
図３、図４、図５に示すのは、実行場所識別子で識別されるプリントアウト実行場所を示した図である。
【００３９】
図３に示すのは、プリントアウト実行場所がコンビニエンスストアサーバである場合であり、実行場所識別子の一例としては、「ＣＳＳ００１」などが該当する。コンビニエンスストアサーバに送信されたプリントアウトフォーマット情報は、コンビニ店舗のプリンタに出力される。一例として、コンビニエンスストアサーバは、コンビニ店舗のプリンタとＷＡＮ（Ｗｉｄｅ  Ａｒｅａ  Ｎｅｔｗｏｒｋ）などの専用線やインターネットなどのネットワークによって接続されている。プリントアウト実行場所をコンビニエンスストアサーバにする利点としては、コンビニ店舗は必ずしもプリンタサーバを設置する必要がないことや、プリントアウトフォーマットを各コンビニ店舗に備える必要がなくコンビニエンスサーバに備えればよいので経済的である点が考えられる。
【００４０】
図４に示すのは、プリントアウト実行場所がコンビニ店舗内に設置されたプリンタサーバである場合であり、実行場所識別子の一例としては、「ＣＳＳ００１−ＰＳ００１」などが該当する。パソコンに送信されたプリントアウトフォーマット情報は、プリンタサーバからプリンタに出力される。一例として、コンビニエンスストアサーバは、コンビニ店舗のプリンタサーバとＷＡＮなどの専用線やインターネットなどのネットワークによって接続されている。また、プリンタサーバは、コンビニ店舗内のプリンタとＬＡＮ（Ｌｏｃａｌ  Ａｒｅａ  Ｎｅｔｗｏｒｋ）経由で接続される場合もあれば、プリンタと直接接続される場合もある。この場合、一例として、利用者が自らコンビニエンスストアのプリンタサーバを操作してプリンタに出力する。プリントアウト実行場所をプリンタサーバにする利点としては、サービス利用者がコンビニ店舗に出向いてプリンタサーバを自分で操作してコンテンツ情報を出力できるので、コンテンツ情報を店員に見られる可能性が低い点が考えられる。
【００４１】
図５に示すのは、プリントアウト実行場所がプリンタである場合であり、実行場所識別子の一例としては、「ＰＲ００１」などが該当する。プリンタに送信されたプリントアウトフォーマット情報は、直接プリンタに出力される。一例として、コンビニエンス・プリントアウトサーバ装置は、コンビニ店舗のプリンタとＷＡＮなどの専用線やインターネットなどのネットワークによって接続されている。プリントアウト実行場所をコンビニ店舗のプリンタにする利点としては、コンビニ店舗は必ずしもプリンタサーバを設置する必要がないので経済的である点が考えられる。また、コンビニエンスストアサーバも必ずしも設置する必要がないので経済的である。
【００４２】
図６に示すのは、プリントサービスが利用できるコンビニエンスストアが複数ある場合の構成を示している。実行場所識別コードの一例として、「ＣＳＳ００５−ＰＳ００３−ＰＲ００２」などが該当する。一例として、コンビニエンス・プリントアウトサーバ装置とコンビニエンスストアサーバ間、コンビニエンスストアサーバとプリンタサーバ間は、ＷＡＮなどの専用線やインターネットなどのネットワークによって接続されている。複数の系列のコンビニエンスストア、例えばセブンイレブン（登録商標）、ローソン（登録商標）、ファミリーマート（登録商標）などを利用できるのでより最適化されたプリントアウト実行場所を選択することが可能となる。
【００４３】
プリントアウト実行場所がコンビニエンスストアサーバである場合や、コンビニ店舗内に設置されたプリンタサーバである場合には、移動しながら携帯端末などを利用して最適なプリントアウト実行場所を選択することが可能である。ＧＰＳ（Ｇｌｏｂａｌ  Ｐｏｓｉｔｉｏｎｉｎｇ  Ｓｙｓｔｅｍ）
【００４４】
<具体的機能ブロック図に基づく説明>
【００４５】
以下に、具体的に実施形態１のコンビニエンス・プリントアウトサーバ装置について説明する。
【００４６】
図７に示すのは、実施形態１のコンビニエンス・プリントアウトサーバ装置０７００の具体的機能ブロック図である。コンビニエンス・プリントアウトサーバ装置は、プリントアウト情報取得部０７０１と、変換部０７０２と、送信部０７０３と、からなる。
【００４７】
いま、プリントアウト情報取得部は、プリントアウト情報として、コンテンツ情報「ワープロ１文書１」と「図面作成ソフト１図面１」、実行場所識別子「ＣＳＳ００１−ＰＳ００１−ＰＲ００１」を取得するものとする。取得されたプリントアウト情報は、変換部に出力される。変換部は、プリントアウト情報を取得し、コンテンツ情報「ワープロ１文書１」と「図面作成ソフト１図面１」を、それぞれ「プリントアウトフォーマット１文書１」と「プリントアウトフォーマット１図面１」に変換する。変換されたコンテンツ情報「プリントアウトフォーマット１文書１」と「プリントアウトフォーマット１図面１」は、実行場所識別子「ＣＳＳ００１−ＰＳ００１−ＰＲ００１」とともにプリントアウトフォーマット情報として、送信部に出力される。送信部は、プリントアウトフォーマット情報を実行場所識別子「ＣＳＳ００１−ＰＳ００１−ＰＲ００１」で識別されるプリントアウト実行場所に送信する。なお、実行場所識別子は、プリントアウト実行場所に送信される場合もあれば、されない場合もある。
【００４８】
<処理の流れ>
【００４９】
以下に、実施形態１の処理の流れについて説明する。
【００５０】
図８に示すのは、実施形態１の処理の流れである。
【００５１】
まず、プリントアウト情報取得ステップは、プリントアウトしたいコンテンツ情報と、コンテンツ情報のプリントアウト実行場所を識別するための実行場所識別子と、を含む情報であるプリントアウト情報を取得する（ステップＳ０８０１）。次に、変換ステップは、プリントアウト情報取得ステップで取得したプリントアウト情報を所定のプリントアウトのためのフォーマットであるプリントアウトフォーマット情報に変換する（ステップＳ０８０２）。次に、送信ステップは、変換ステップで変換されたプリントアウトフォーマット情報を、プリントアウト情報に含まれる実行場所識別子で識別されるプリントアウト実行場所に送信する（ステップＳ０８０３）。
【００５２】
<実施形態１の効果の簡単な説明>
【００５３】
実施形態１のコンビニエンス・プリントアウトサーバ装置によれば、プリントアウト情報中の複数種類のコンテンツ情報を一の又は二以上のプリントアウトフォーマット情報に変換し、実行場所識別子で識別されるプリントアウト実行場所に出力することが可能となる。また、プリントアウト情報として最適なプリントアウトフォーマットは何かを判定しコンビニ店舗のプリンタに出力できるので、コンビニ店舗の手間とコスト削減を図ることができる。また、実行識別子で識別される任意のプリントアウト実行場所を指定できるので、出張先や外出先に最も近い場所で出力することができる。
【００５４】
<<実施形態２>>
【００５５】
<実施形態２の概念>
【００５６】
実施形態２は、プリントアウトフォーマット情報は、インターネット上で取得可能な無償ビューアを利用してプリントアウト可能なフォーマットである無償プリントアウトフォーマット情報である実施形態１に記載のコンビニエンス・プリントアウトサーバ装置に関する。プリントアウトフォーマット情報は、インターネット上で取得可能な無償ビューアを利用してプリントアウト可能なフォーマットである無償プリントアウトフォーマット情報である以外は実施形態１と同様なので、相違点についてのみ説明する。
【００５７】
<構成要件の明示>
【００５８】
以下に、実施形態２の構成要件を明示する。
【００５９】
図９に示すのは、実施形態２のコンビニエンス・プリントアウトサーバ装置０９００の機能ブロック図である。コンビニエンス・プリントアウトサーバ装置は、プリントアウト情報取得部０９０１と、変換部０９０２と、送信部０９０３と、からなる。
【００６０】
<構成の説明>
【００６１】
以下に、実施形態２のコンビニエンス・プリントアウトサーバ装置の構成要件について説明する。
【００６２】
<基本機能ブロック図の導入>
【００６３】
（変換部）
【００６４】
変換部が変換するプリントアウトフォーマット情報は、インターネット上で取得可能な無償ビューアを利用してプリントアウト可能なフォーマットである無償プリントアウトフォーマット情報である。ここで「無償ビューア」とは、インターネット上でフリーソフトなどとして提供されている、変換部で変換されたプリントアウトフォーマット情報を閲覧し、プリントアウトすることが可能な無償のソフトウェアなどが該当する。無償ビューアは、インターネット上からダウンロードすることに限定されず、ＣＤ−ＲＯＭなどの記憶媒体として入手することも可能である。無償ビューアには、例えば、Ａｃｒｏｂａｔ（登録商標）  Ｒｅａｄｅｒ、ＶＩＳＩＯ（登録商標）などがある。
【００６５】
<具体的機能ブロック図に基づく説明>
【００６６】
以下に、具体的に実施形態２のコンビニエンス・プリントアウトサーバ装置について説明する。
【００６７】
図１０に示すのは、実施形態２のコンビニエンス・プリントアウトサーバ装置１０００の具体的機能ブロック図である。コンビニエンス・プリントアウトサーバ装置は、プリントアウト情報取得部１００１と、変換部１００２と、送信部１００３と、からなる。変換部は、プリントアウト情報を取得し、コンテンツ情報「ワープロ１文書１」と「図面作成ソフト１図面１」を、それぞれ「無償プリントアウトフォーマット１文書１」と「無償プリントアウトフォーマット１図面１」に変換する。
【００６８】
<処理の流れ>
【００６９】
以下に、実施形態２の処理の流れについて説明する。
【００７０】
図１１に示すのは、実施形態２の処理の流れである。
【００７１】
まず、プリントアウト情報取得ステップは、プリントアウトしたいコンテンツ情報と、コンテンツ情報のプリントアウト実行場所を識別するための実行場所識別子と、を含む情報であるプリントアウト情報を取得する（ステップＳ１１０１）。次に、変換ステップは、プリントアウト情報取得ステップで取得したプリントアウト情報をインターネット上で取得可能な無償ビューアを利用してプリントアウト可能なフォーマットである無償プリントアウトフォーマット情報に変換する（ステップＳ１１０２）。次に、送信ステップは、変換ステップで変換された無償プリントアウトフォーマット情報を、プリントアウト情報に含まれる実行場所識別子で識別されるプリントアウト実行場所に送信する（ステップＳ１１０３）。
【００７２】
<実施形態２の効果の簡単な説明>
【００７３】
実施形態２のコンビニエンス・プリントアウトサーバ装置によれば、プリントアウト情報中の複数種類のコンテンツ情報を一の又は二以上の無償プリントアウトフォーマット情報に変換し、実行場所識別子で識別されるプリントアウト実行場所に出力することが可能となる。また、プリントアウト情報として最適な無償プリントアウトフォーマットは何かを判定しコンビニ店舗のプリンタに出力できるので、さらにコンビニ店舗の手間とコスト削減を図ることができる。
【００７４】
<<実施形態３>>
【００７５】
<実施形態３の概念>
【００７６】
実施形態３は、プリントアウト情報を取得する端末プリントアウト情報取得部と、プリントアウト情報取得部で取得したプリントアウト情報をコンビニエンス・プリントアウトサーバ装置に送信する端末送信部と、を有するプリントアウト情報送信端末装置に関する。
【００７７】
<構成要件の明示>
【００７８】
以下に、実施形態３の構成要件を明示する。
【００７９】
図１２に示すのは、実施形態３のプリントアウト情報送信端末装置１２００の機能ブロック図である。プリントアウト情報送信端末装置は、端末プリントアウト情報取得部１２０１と、端末送信部１２０２と、からなる。
【００８０】
<構成の説明>
【００８１】
以下に、実施形態３のプリントアウト情報送信端末装置の構成要件について説明する。
【００８２】
<基本機能ブロック図の導入>
【００８３】
（端末プリントアウト情報取得部）
【００８４】
端末プリントアウト情報取得部は、プリントアウト情報を取得する。ここで「プリントアウト情報」は、実施形態１の（プリントアウト情報取得部）で説明したように、コンテンツ情報と実行場所識別子と、からなる。ここで「コンテンツ情報」は、コンテンツ情報の作成を行ったアプリケーションソフト特有のフォーマットになっている。一例として、コンテンツ情報には、ワープロで作成された文書、図面作成ソフトで作成された図面、プレゼンテーション用ソフトで作成されたプレゼンテーション資料、表計算ソフトで作成された資料、画像処理ソフトで作成された画像などが該当する。
【００８５】
また、「実行場所識別子」とは、一例として、どの系列のコンビニエンスストアの、どの地域の、どの店舗のプリンタサーバあるいはプリンタでプリントアウトするのかといったプリントアウト実行場所を識別するための識別子である。実行場所識別子は、一例として、コンビニエンスストアサーバコード（ＣＳＳ００１）やコンビニ店舗コード（ＣＳ０００００１）やプリンタサーバコード（ＰＳ００１）やパソコンコード（ＰＣ００１）やプリンタコード（ＰＲ００１）などで構成される。実行場所識別コードの一例として、「ＣＳＳ００１−ＣＳ０００００１−ＰＳ００１−ＰＲ００１」などが該当する。
【００８６】
なお、プリントアウト情報の取得には、プリントアウト情報送信端末装置の外部からの入力による取得と、内部のプリントアウト情報の保持部からの入力による取得と、内部でプリントアウト情報を生成することによる取得が考えられる。
【００８７】
（端末送信部）
【００８８】
端末送信部は、プリントアウト情報取得部で取得したプリントアウト情報をコンビニエンス・プリントアウトサーバ装置に送信する。
【００８９】
<具体的機能ブロック図に基づく説明>
【００９０】
以下に、具体的に実施形態３のコンビニエンス・プリントアウトサーバ装置について説明する。
【００９１】
図１３に示すのは、実施形態３のプリントアウト情報送信端末装置１３００の具体的機能ブロック図である。プリントアウト情報送信端末装置は、端末プリントアウト情報取得部１３０１と、端末送信部１３０２と、からなる。
【００９２】
いま、端末プリントアウト情報取得部は、プリントアウト情報として、コンテンツ情報「ワープロ１文書１」と「図面作成ソフト１図面１」、実行場所識別子「ＣＳＳ００１−ＣＳ０００００１−ＰＲ００１」を取得するものとする。取得されたプリントアウト情報は、端末送信部に出力される。端末送信部は、プリントアウト情報を取得し、コンテンツ情報「ワープロ１文書１」と「図面作成ソフト１図面１」を、実行場所識別子「ＣＳＳ００１−ＣＳ０００００１−ＰＲ００１」とともにプリントアウト情報として、コンビニエンス・プリントアウトサーバ装置にインターネット経由で送信する。
【００９３】
<処理の流れ>
【００９４】
以下に、実施形態３の処理の流れについて説明する。
【００９５】
図１４に示すのは、実施形態３の処理の流れである。
【００９６】
まず、端末プリントアウト情報取得ステップは、プリントアウトしたいコンテンツ情報と、コンテンツ情報のプリントアウト実行場所を識別するための実行場所識別子と、を含む情報であるプリントアウト情報を取得する（ステップＳ１４０１）。次に、端末送信ステップは、プリントアウト情報取得ステップで取得したプリントアウト情報をインターネット経由でコンビニエンス・プリントアウトサーバ装置に送信する（ステップＳ１４０２）。
【００９７】
<実施形態３の効果の簡単な説明>
【００９８】
実施形態３のプリントアウト情報送信端末装置によれば、プリントアウト情報中の複数種類のコンテンツ情報を、実行場所識別子で識別されるプリントアウト実行場所に出力するように、コンビニエンス・プリントアウトサーバ装置に送信することにより、書類を出張先や外出先まで持ち運ぶ必要がないので負荷が軽減されるとともに、移動途中の書類の紛失・盗難の心配が少なくなる。また、実行識別子で識別される任意のプリントアウト実行場所を指定できるので、出張先や外出先に最も近い場所で出力することができる。
【００９９】
<<実施形態４>>
【０１００】
<実施形態４の概念>
【０１０１】
実施形態４は、無償プリントアウトフォーマット情報を取得する無償プリントアウトフォーマット情報取得部と、無償プリントアウトフォーマット情報取得部で取得した無償プリントアウトフォーマット情報を無償ビューアを利用してプリントアウトする印刷部と、を有するコンビニエンスプリント端末に関する。
【０１０２】
<構成要件の明示>
【０１０３】
以下に、実施形態４の構成要件を明示する。
【０１０４】
図１５に示すのは、実施形態４のコンビニエンスプリント端末１５００の機能ブロック図である。コンビニエンスプリント端末は、無償プリントアウトフォーマット情報取得部１５０１と、印刷部１５０２と、からなる。
【０１０５】
<構成の説明>
【０１０６】
以下に、実施形態４のコンビニエンスプリント端末の構成要件について説明する。
【０１０７】
<基本機能ブロック図の導入>
【０１０８】
（無償プリントアウトフォーマット情報取得部）
【０１０９】
無償プリントアウトフォーマット情報取得部は、無償プリントアウトフォーマット情報を取得する。無償プリントアウトフォーマット情報は、一例として、コンビニエンス・プリントアウトサーバ装置の送信部から直接取得されるだけでなく、コンビニエンス・プリントアウトサーバ装置の送信部から実行識別子で識別されるプリントアウト実行場所であるコンビニエンスストアサーバやプリンタサーバあるいはコンビニ店舗のコンビニエンスプリント端末に接続されているパソコンを介して取得されてもよい。ここで「無償プリントアウトフォーマット情報」とは、実施形態２のコンビニエンス・プリントアウトサーバ装置の（変換部）で説明したように、インターネット上で取得可能な無償ビューアを利用してプリントアウト可能なフォーマットであるプリントアウトフォーマット情報に変換された無償プリントアウトフォーマット情報である。無償ビューアは、インターネット上からダウンロードすることに限定されず、ＣＤ−ＲＯＭなどの記憶媒体として入手することも可能である。また、プリントアウトフォーマットは一つに限定されず、二つ以上のプリントアウトフォーマットがあってもよい。さらに、コンビニエンスプリント端末が無償プリントアウトフォーマット情報に対応した無償ビューアを持っていない場合には、自律的にセンターサーバへ探しに行くようにしてもよい。
【０１１０】
（印刷部）
【０１１１】
印刷部は、無償プリントアウトフォーマット情報取得部で取得した無償プリントアウトフォーマット情報を無償ビューアを利用してプリントアウトする。ここで「プリントアウト」とは、一例として、無償ビューアを利用して、閲覧できる状態にし、紙に印刷するだけでなく、ディスプレイに表示することも含まれる。また、閲覧できる状態で記憶部に保存されることも含まれる。また、一例として、無償プリントアウトフォーマット情報のプリントアウトは、印刷部が無償プリントアウトフォーマット情報を取得した場合に、自動的に印刷されるにしてもよい。
【０１１２】
<具体的機能ブロック図に基づく説明>
【０１１３】
以下に、具体的に実施形態４のコンビニエンスプリント端末について説明する。
【０１１４】
図１６に示すのは、実施形態４のコンビニエンスプリント端末１６００の具体的機能ブロック図である。コンビニエンスプリント端末は、無償プリントアウトフォーマット情報取得部１６０１と、印刷部１６０２と、からなる。
【０１１５】
いま、無償プリントアウトフォーマット情報取得部は、無償プリントアウトフォーマット情報として、コンテンツ情報「無償プリントアウトフォーマット１文書１」と「無償プリントアウトフォーマット１図面１」、実行場所識別子「ＣＳＳ００１−ＣＳ０００００１−ＰＲ００１」を取得するものとする。取得された無償プリントアウトフォーマット情報は、実行場所識別子「ＣＳＳ００１−ＣＳ０００００１−ＰＲ００１」の示すプリント実行場所が該コンビニエンスプリント端末であることが確認された場合に印刷部に出力される。印刷部は、無償プリントアウトフォーマット情報を取得し、コンテンツ情報「無償プリントアウトフォーマット１文書１」と「無償プリントアウトフォーマット１図面１」を、無償プリントアウトフォーマット情報として、プリントアウトする。
【０１１６】
<処理の流れ>
【０１１７】
以下に、実施形態４の処理の流れについて説明する。
【０１１８】
図１７に示すのは、実施形態４の処理の流れである。
【０１１９】
まず、無償プリントアウトフォーマット情報取得ステップは、無償プリントアウトフォーマット情報を取得する（ステップＳ１７０１）。次に、印刷ステップは、無償プリントアウトフォーマット情報取得部で取得した無償プリントアウトフォーマット情報を無償ビューアを利用してプリントアウトする（ステップＳ１７０２）。
【０１２０】
<実施形態４の効果の簡単な説明>
【０１２１】
実施形態４のコンビニエンスプリント端末によれば、無償プリントアウトフォーマット情報を無償ビューアを利用してプリントアウトすることができるので、コンビニ店舗の手間とコスト削減を図ることができる。
【０１２２】
<<実施形態５>>
【０１２３】
<実施形態５の概念>
【０１２４】
実施形態５は、プリントアウト情報には、プリントアウト実行場所でプリントアウトされたコンテンツ情報を引取る時刻を示す情報である引取時刻情報が含まれ、送信部は、プリントアウトフォーマット情報と関連付けてプリントアウト実行場所へ、引取時刻情報を送信する実施形態１、２に記載のコンビニエンス・プリントアウトサーバ装置に関する。プリントアウト情報には、プリントアウト実行場所でプリントアウトされたコンテンツ情報を引取る時刻を示す情報である引取時刻情報が含まれ、送信部は、プリントアウトフォーマット情報と関連付けてプリントアウト実行場所へ、引取時刻情報を送信すること以外は、実施形態１、２と同様なので、主に、その相違点について説明する。
【０１２５】
<構成要件の明示>
【０１２６】
以下に、実施形態５の構成要件を明示する。
【０１２７】
図１８に示すのは、実施形態５のコンビニエンス・プリントアウトサーバ装置１８００の機能ブロック図である。コンビニエンス・プリントアウトサーバ装置は、プリントアウト情報取得部１８０１と、変換部１８０２と、送信部１８０３と、からなる。
【０１２８】
<構成の説明>
【０１２９】
以下に、実施形態５のコンビニエンス・プリントアウトサーバ装置の構成要件について説明する。
【０１３０】
<基本機能ブロック図の導入>
【０１３１】
（プリントアウト情報取得部）
【０１３２】
プリントアウト情報取得部は、プリントアウトしたいコンテンツ情報と、コンテンツ情報のプリントアウト実行場所を識別するための実行場所識別子と、を含む情報であるプリントアウト情報を取得する。さらに、プリントアウト情報には、プリントアウト実行場所でプリントアウトされたコンテンツ情報を引取る時刻を示す情報である引取時刻情報が含まれる。ここで「引取時刻情報」には、一例として、「２００×年９月２１日２３：００」などの情報が該当する。
【０１３３】
（送信部）
【０１３４】
送信部は、変換部で変換されたプリントアウトフォーマット情報を、プリントアウト情報に含まれる実行場所識別子で識別されるプリントアウト実行場所に送信する。さらに、送信部は、プリントアウトフォーマット情報と関連付けてプリントアウト実行場所へ、引取時刻情報を送信する。
【０１３５】
<具体的機能ブロック図に基づく説明>
【０１３６】
以下に、具体的に実施形態５のコンビニエンス・プリントアウトサーバ装置について説明する。
【０１３７】
図１９に示すのは、実施形態５のコンビニエンス・プリントアウトサーバ装置１９００の具体的機能ブロック図である。コンビニエンス・プリントアウトサーバ装置は、プリントアウト情報取得部１９０１と、変換部１９０２と、送信部１９０３と、からなる。
【０１３８】
いま、プリントアウト情報取得部は、プリントアウト情報として、コンテンツ情報「ワープロ１文書１」、実行場所識別子「ＣＳＳ００１−ＣＳ０００００１−ＰＲ００１」、引取時刻情報「２００×年９月２１日２３：００」を取得するものとする。取得されたプリントアウト情報は、変換部に出力される。変換部は、プリントアウト情報を取得し、コンテンツ情報「ワープロ１文書１」を、「プリントアウトフォーマット１文書１」に変換する。変換されたコンテンツ情報「プリントアウトフォーマット１文書１」は、実行場所識別子「ＣＳＳ００１−ＣＳ０００００１−ＰＲ００１」とともにプリントアウトフォーマット情報として、送信部に出力される。送信部は、プリントアウトフォーマット情報は、コンテンツ情報「プリントアウトフォーマット１文書１」が引取時刻情報「２００×年９月２１日２３：００」と関連付けて、実行場所識別子「ＣＳＳ００１−ＣＳ０００００１−ＰＲ００１」で識別されるプリントアウト実行場所に送信する。
【０１３９】
<処理の流れ>
【０１４０】
以下に、実施形態５の処理の流れについて説明する。
【０１４１】
図２０に示すのは、実施形態５の処理の流れである。
【０１４２】
まず、プリントアウト情報取得ステップは、プリントアウトしたいコンテンツ情報と、コンテンツ情報のプリントアウト実行場所を識別するための実行場所識別子と、引取時刻情報と、を含む情報であるプリントアウト情報を取得する（ステップＳ２００１）。次に、変換ステップは、プリントアウト情報取得ステップで取得したプリントアウト情報を所定のプリントアウトのためのフォーマットであるプリントアウトフォーマット情報に変換する（ステップＳ２００２）。次に、送信ステップは、変換ステップで変換されたプリントアウトフォーマット情報を、引取時刻情報と関連付けてプリントアウト情報に含まれる実行場所識別子で識別されるプリントアウト実行場所に送信する（ステップＳ２００３）。
【０１４３】
<実施形態５の効果の簡単な説明>
【０１４４】
実施形態５のコンビニエンス・プリントアウトサーバ装置によれば、プリントアウト情報中の複数種類のコンテンツ情報を一のプリントアウトフォーマット情報に変換し、実行場所識別子で識別されるプリントアウト実行場所に出力することが可能となるので、コンビニ店舗の手間とコスト削減を図ることができる。また、実行識別子で識別される任意のプリントアウト実行場所を指定できるので、出張先や外出先に最も近い場所で出力することができる。さらに、引取時刻情報で指示された時刻にプリントアウトすることが可能となるので、セキュリティーの面からも有効である。
【０１４５】
<<実施形態６>>
【０１４６】
<実施形態６の概念>
【０１４７】
実施形態６は、コンビニエンスプリントアウト端末装置は、実施形態５に記載のコンビニエンス・プリントアウトサーバ装置から送信された引取時刻情報を受信する引取時刻情報受信部と、引取り時刻情報受信部が受信した引取時刻情報に基づいて印刷部での印刷をスケジュールするスケジュール部と、をさらに有する実施形態４に記載のコンビニエンスプリント端末に関する。
【０１４８】
<構成要件の明示>
【０１４９】
以下に、実施形態６の構成要件を明示する。
【０１５０】
図２１に示すのは、実施形態６のコンビニエンスプリント端末２１００の機能ブロック図である。コンビニエンスプリント端末は、プリントアウトフォーマット情報取得部２１０１と、印刷部２１０２と、引取時刻情報取得部２１０３と、スケジュール部２１０４と、からなる。
【０１５１】
<構成の説明>
【０１５２】
以下に、実施形態６のコンビニエンスプリント端末の構成要件について説明する。
【０１５３】
<基本機能ブロック図の導入>
【０１５４】
（プリントアウトフォーマット情報取得部）
【０１５５】
プリントアウトフォーマット情報取得部は、プリントアウトフォーマット情報を取得する。プリントアウトフォーマット情報は、コンテンツ情報、実行場所識別子、引取時刻情報が含まれる。ここで、一例として、「引取時刻情報」は、「２００×年９月２１日２３：００」などが該当する。また、プリントアウトフォーマット情報は、一例として、コンビニエンス・プリントアウトサーバ装置の送信部から直接取得されるだけでなく、コンビニエンス・プリントアウトサーバ装置の送信部から実行識別子で識別されるプリントアウト実行場所であるコンビニエンスストアサーバやプリンタサーバあるいはコンビニ店舗のコンビニエンスプリント端末に接続されているパソコンを介して取得されてもよい。
【０１５６】
（印刷部）
【０１５７】
印刷部は、プリントアウトフォーマット情報取得部で取得したプリントアウトフォーマット情報をプリントアウトする。ここで「プリントアウト」とは、一例として、ビューアを利用して、閲覧できる状態にすることをいい、紙に印刷するだけでなく、ディスプレイに表示することも含まれる。また、閲覧できる状態で記憶部に保存されることも含まれる。また、一例として、プリントアウトフォーマット情報のプリントアウトは、印刷部がプリントアウトフォーマット情報を取得した場合に、引取時刻情報で指定された時刻に印刷されるように制御される。
【０１５８】
（引取時刻情報受信部）
【０１５９】
引取時刻情報受信部は、コンビニエンス・プリントアウトサーバ装置から送信された引取時刻情報を受信する。ここで、引取時刻情報受信部は、プリントアウトフォーマット情報取得部で取得されたプリントアウトフォーマット情報の中から「引取時刻情報」の中から「引取時刻情報」を抽出する。
【０１６０】
（スケジュール部）
【０１６１】
スケジュール部は、引取り時刻情報受信部が受信した引取時刻情報に基づいて印刷部での印刷をスケジュールする。一例としては、引取時刻情報で示される時刻の順番に受信したプリントアウトフォーマット情報をプリントアウトするようにスケジュールする。また、一例として、引取時刻情報が同じ場合には、プリントアウト量が少ないプリントアウトフォーマット情報を優先してプリントアウトするようにスケジュールすることが考えられる。
【０１６２】
<具体的機能ブロック図に基づく説明>
【０１６３】
以下に、具体的に実施形態６のコンビニエンスプリント端末について説明する。
【０１６４】
図２２に示すのは、実施形態６のコンビニエンスプリント端末２２００の具体的機能ブロック図である。コンビニエンスプリント端末は、プリントアウトフォーマット情報取得部２２０１と、印刷部２２０２と、引取時刻情報取得部２２０３と、スケジュール部２２０４と、からなる。
【０１６５】
いま、プリントアウトフォーマット情報取得部は、プリントアウトフォーマット情報として、コンテンツ情報１「プリントアウトフォーマット１文書１」と引取時刻情報１「２００×年９月２１日２３：００」と実行場所識別子１「ＣＳＳ００１−ＣＳ０００００１−ＰＲ００１」、コンテンツ情報２「プリントアウトフォーマット１文書２」と引取時刻情報２「２００×年９月１５日９：００」と実行場所識別子２「ＣＳＳ００１−ＣＳ０００００１−ＰＲ００１」、コンテンツ情報３「プリントアウトフォーマット１文書３」と引取時刻情報３「２００×年９月３０日１３：００」と実行場所識別子３「ＣＳＳ００１−ＣＳ０００００１−ＰＲ００１」と、をこの順番で取得するものとする。取得されたプリントアウトフォーマット情報は、実行場所識別子「ＣＳＳ００１−ＣＳ０００００１−ＰＲ００１」の示すプリント実行場所が該コンビニエンスプリント端末であることが確認された場合にスケジュール部に出力される。スケジュール部は、引取時刻情報１と引取時刻情報２と引取時刻情報３で示される時刻を比較し、時刻が早い順番に並べ替える。この場合は、引取時刻情報２、引取時刻情報１、引取時刻情報３の順番となる。印刷部は、引取時刻情報と関連付けられたプリントアウトフォーマット情報を取得し、コンテンツ情報２「プリントアウトフォーマット１文書２」を時刻「２００×年９月１５日９：００」にプリントアウトする。次に、コンテンツ情報１「プリントアウトフォーマット１文書２」を時刻「２００×年９月２１日２３：００」にプリントアウトする。次に、コンテンツ情報３「プリントアウトフォーマット１文書３」を時刻「２００×年９月３０日１３：００」にプリントアウトする。
【０１６６】
<処理の流れ>
【０１６７】
以下に、実施形態６の処理の流れについて説明する。
【０１６８】
図２３に示すのは、実施形態６の処理の流れである。
【０１６９】
まず、プリントアウトフォーマット情報取得ステップは、プリントアウトフォーマット情報を取得する（ステップＳ２３０１）。次に、引取時刻情報受信ステップは、コンビニエンス・プリントアウトサーバ装置から送信された引取時刻情報を受信する（ステップＳ２３０２）。次に、スケジュールステップは、引取時刻情報受信ステップが受信した引取時刻情報に基づいて印刷ステップでの印刷をスケジュールする（ステップＳ２３０３）。次に、印刷ステップは、プリントアウトフォーマット情報取得ステップで取得したプリントアウトフォーマット情報を引取時刻情報で示される自国にプリントアウトする（ステップＳ２３０４）。
【０１７０】
<実施形態６の効果の簡単な説明>
【０１７１】
実施形態６のコンビニエンスプリント端末によれば、プリントアウトフォーマット情報を引取時刻情報を指定してプリントアウトすることができるので、セキュリティーの面からも有効である。
【産業上の利用可能性】
【０１７２】
本件発明のコンビニエンス・プリントサービスは、コンビニエンスストアネットワークを活用したプリントサービスに利用することができる。
【図面の簡単な説明】
【０１７３】
【図１】本件発明のコンビニエンス・プリントサービスのシステム構成の一例を示す図
【図２】実施形態１の機能ブロック図
【図３】実施形態１の実行場所識別子で示されるプリントアウト実行場所その１を説明する図
【図４】実施形態１の実行場所識別子で示されるプリントアウト実行場所その２を説明する図
【図５】実施形態１の実行場所識別子で示されるプリントアウト実行場所その３を説明する図
【図６】実施形態１の実行場所識別子で示されるプリントアウト実行場所その４を説明する図
【図７】実施形態１の具体的機能ブロック図
【図８】実施形態１の処理の流れ図
【図９】実施形態２の機能ブロック図
【図１０】実施形態２の具体的機能ブロック図
【図１１】実施形態２の処理の流れ図
【図１２】実施形態３の機能ブロック図
【図１３】実施形態３の具体的機能ブロック図
【図１４】実施形態３の処理の流れ図
【図１５】実施形態４の機能ブロック図
【図１６】実施形態４の具体的機能ブロック図
【図１７】実施形態４の処理の流れ図
【図１８】実施形態５の機能ブロック図
【図１９】実施形態５の具体的機能ブロック図
【図２０】実施形態５の処理の流れ図
【図２１】実施形態６の機能ブロック図
【図２２】実施形態６の具体的機能ブロック図
【図２３】実施形態６の処理の流れ図
【符号の説明】
【０１７４】
０１００  コンビニエンス・プリントサービスシステム
０１０１  コンビニエンス・プリントアウトサーバ装置
０１０２  プリントアウト情報送信端末装置
０１０３  コンビニエンスプリント端末
【図１】
2005141421.tif 000003
【図２】
2005141421.tif 000004
【図３】
2005141421.tif 000005
【図４】
2005141421.tif 000006
【図５】
2005141421.tif 000007
【図６】
2005141421.tif 000008
【図７】
2005141421.tif 000009
【図８】
2005141421.tif 000010
【図９】
2005141421.tif 000011
【図１０】
2005141421.tif 000012
【図１１】
2005141421.tif 000013
【図１２】
2005141421.tif 000014
【図１３】
2005141421.tif 000015
【図１４】
2005141421.tif 000016
【図１５】
2005141421.tif 000017
【図１６】
2005141421.tif 000018
【図１７】
2005141421.tif 000019
【図１８】
2005141421.tif 000020
【図１９】
2005141421.tif 000021
【図２０】
2005141421.tif 000022
【図２１】
2005141421.tif 000023
【図２２】
2005141421.tif 000024
【図２３】
2005141421.tif 000025